(57)【要約】【課題】アドレスからインパクトするまでのスイングプレーンの安定化が図れ、インパクト時に安定した打球が得られるゴルフクラブを提供する。【解決手段】本発明のゴルフクラブは、クラウン部７ａ、ソール部７ｂ、バック部、トウ部７ｄ、ヒール部７ｅ、及びボールを打球するフェース部７ｆを具備した中空外殻構造のヘッド７と、ヘッド７に対して所定のライ角αで装着されるシャフト５とを有する。そして、ヘッド７の内部でシャフト５の軸線ＳＸよりもバック部側に、ライ角を規定する基準水平面Ｐに対し、ヒール側からトウ側に向けて上昇する重量集中部１５を設けたことを特徴とする。【選択図】    図６
2006102247.tif 000002
【特許請求の範囲】
【請求項１】
クラウン部、ソール部、バック部、トウ部、ヒール部、及びボールを打球するフェース部を具備した中空外殻構造のヘッドと、前記ヘッドに対して所定のライ角で装着されるシャフトとを有するゴルフクラブにおいて、
前記ヘッドの内部でシャフトの軸線よりもバック部側に、前記ライ角を規定する基準水平面に対し、ヒール側からトウ側に向けて上昇する重量集中部を設けたことを特徴とするゴルフクラブ。
【請求項２】
前記重量集中部による重量が集中する方向は、前記基準水平面に対し３°〜４５°の範囲に設定されることを特徴とする請求項１に記載のゴルフクラブ。
【請求項３】
前記重量集中部は、前記バック部に設けられており、センターからトウ方向、及びヒール方向に向けて設けられていることを特徴とする請求項１又は２に記載のゴルフクラブ。
【請求項４】
前記重量集中部は、前記バック部の内面、並びに、前記トウ部及びヒール部の各内面に一体形成されるリブであることを特徴とする請求項３に記載のゴルフクラブ。
【請求項５】
前記重量集中部は、前記フェース部とバック部との間に横架されていることを特徴とする請求項１又は２に記載のゴルフクラブ。
【請求項６】
前記重量集中部は、前記フェース部とバック部の幅の１／２よりもバック部側に設けられていることを特徴とする請求項１乃至５のいずれか１項に記載のゴルフクラブ。
【請求項７】
前記重量集中部のセンター部分には、ダウンスイング時に作用する遠心力を、前記重量集中部によってトウ側に作用するトウ側遠心力、及び前記重量集中部によってヒール側に作用するヒール側遠心力よりも高くする高遠心力手段が設けられていることを特徴とする請求項１乃至６のいずれか１項に記載のゴルフクラブ。
【請求項８】
クラウン部、ソール部、バック部、トウ部、ヒール部、及びボールを打球するフェース部を具備した中空外殻構造のヘッドと、前記ヘッドに対して所定のライ角で装着されるシャフトとを有するゴルフクラブにおいて、
前記ヘッドの内部でシャフトの軸線よりもバック部側に、ヒール側からトウ側に向けて方向性を持って配置される重量体を設け、
前記重量体は、前記ライ角を規定する基準水平面に対し、ヒール部分よりもトウ部分が高い位置に配置されていることを特徴とするゴルフクラブ。
【発明の詳細な説明】
【技術分野】
【０００１】
本発明は、ゴルフクラブに関し、詳細には、中空構造を有するヘッドを備えたウッド型のゴルフクラブに関する。
【背景技術】
【０００２】
従来、ゴルフクラブのヘッドの内部に重量体を配置して、打球の方向性を向上させたゴルフクラブが知られている。例えば、特許文献１には、ヘッドのバック側に、重量体をトウ・ヒール方向に沿って配置したゴルフクラブが開示されている。このようなヘッドによれば、重心がフェースのセンター領域に集中することなく、トウ・ヒール方向に広がり、打球時にボールの位置が多少トウ・ヒール方向にずれても方向性が安定する効果が得られるようになる。
【特許文献１】特開昭６０−１５３８８５号
【発明の開示】
【発明が解決しようとする課題】
【０００３】
通常、打球時におけるゴルファーの一連のスイングは、図１に示すように、アドレスからバックスイングに入り、トップ位置に至ってダウンスイングに移り、ボールをインパクトした後、フォロースルー及びフィニッシュとなる。そして、この一連のスイング過程において、バックスイングしてボールをインパクトするに至るまでのヘッドの軌跡、いわゆるスイングプレーンを安定化させることにより、打球時に所定の位置（スイートスポット）でボールを捕らえることが容易になると考えられる。換言すれば、ダウンスイング中に移行してからインパクトするまでのスイングプレーンが安定していないと、所定の位置でボールが捕らえ難くなってしまう。
【０００４】
このスイングプレーンは、一般的に、図２に示すように、ゴルファーの側面から見た状態で、アドレス時にゴルフクラブをライ角αに合わせてセットした際のシャフトの軸線Ｓと、ゴルファーの首の付け根部分とボールを結ぶ軸線Ｓ´の範囲内にあることが、良いスイングプレーンであるといわれている。すなわち、軸線Ｓと軸線Ｓ´の範囲内にスイングプレーンがあるようにスイングすることで、理想的なスイング軌道となり、スイートスポットで安定したインパクトを実現することが容易になる。
【０００５】
ところで、ボールをインパクトするに至るまでのスイング中に、不自然な力が作用すると、スイングプレーンが安定しないという問題がある。この不自然な力は、主にシャフトの先端に装着されたヘッドに作用する遠心力によってもたらされるのであり、このことからヘッドにおける重量バランスは、スイングプレーンを安定化させる上では、重要な要素であると考えられる。
【０００６】
上記した特許文献１に開示されているゴルフクラブのヘッドは、図３（ａ）に模式的に示すように、ヘッドに取り付けられている重量体Ｍ１が水平方向（ここでの水平方向は、ゴルフクラブのヘッドをライ角に沿ってアドレスした際の基準となる水平面Ｐに沿った方向である）でトウ・ヒール方向に広がっており、このようなゴルフクラブを実際にスイングすると、ダウンスイングしてからインパクトに至るまでに、ヘッドの先端側が引っ張られるような感覚となる。すなわち、ヘッドの先端側が引っ張られることで、安定したスイングプレーンを実現するのには妨げとなっている。
【０００７】
これを具体的に説明すると、ダウンスイングを行なっている最中に、ヘッド部分に加わる遠心力（上記した重量配分によって生じる遠心力）を考慮した場合、図３（ａ）に示すように、トウ側に移行するほど、その力が大きくなる傾向となる。これを簡略化して説明すると、上記した重量配分において、トウ側の位置Ｐ１に作用する遠心力をＦ１、中央の位置Ｐ２に作用する遠心力をＦ２、ヒール側の位置Ｐ３に作用する遠心力をＦ３とすると、Ｆ１＞Ｆ２＞Ｆ３となる。これは、ヘッドに作用する遠心力は、ヘッドが近似的に遠心軌道を描くと仮定して、その角速度をω、各位置における重量をｍとすると、Ｆ＝ｍｒω2 によって定義される（ｒは、遠心軌道の中心軸であるスイング軸からシャフト方向に沿って重量が存在する位置までの距離）。
【０００８】
上記した重量配分において、重量が均一にトウ・ヒール方向に配分されていることを考慮すると、各位置で作用する重量および角速度は同一であるが、水平方向に配分された重量体では、スイング軸からシャフト方向に沿って夫々の重量成分が存在する位置までの距離ｒ１，ｒ２，ｒ３は夫々異なってしまう（ｒ１＞ｒ２＞ｒ３）。すなわち、距離の相違によって、上記した式から、各部において、重量体Ｍ１によって生じる力は、上記したようにＦ１＞Ｆ２＞Ｆ３となってしまう（図３（ａ）において各位置に作用する遠心力をベクトルで示しており、ヘッドの各位置での略シャフト方向に沿って作用する遠心力はトウ側の方が大きい）。
【０００９】
そして、このようにヘッドの各位置において相違する遠心力（トウ側が大きい）は、その相違する分が、ダウンスイング中に、理想のスイングプレーンから外すように作用するようになる。すなわち、相違する分のシャフト方向に沿った遠心力の垂直方向Ｘの分力は、図３（ａ）の矢印Ｄ１で示す方向にヘッドを引っ張ろうとするため、シャフトのグリップ部分には、矢印Ｄ１´方向の力が作用して、安定したスイングプレーンを妨げる要素となる。また、水平方向Ｙの分力は、図４の矢印Ｄ２で示す方向にヘッドを引っ張ろうとするため、これも安定したスイングプレーンを妨げる要素となってしまう。
【００１０】
そして、この水平方向Ｙの分力は、インパクト時において、ターゲットラインＴに対してヘッドをインサイドアウトスイングＳ１にする傾向が強くなり、安定したインパクトをする上で妨げとなってしまう（理想的には、ターゲットラインＴに沿ったインサイドインスイングＳでインパクトできれば良いが、逆に、ヒール側に作用する力が大きくなりすぎると、アウトサイドインスイングＳ２にする傾向が強くなって、これも安定したインパクトをする上では妨げとなってしまう）。
【００１１】
以上のように、ヘッドに、基準水平面Ｐに沿ってトウ・ヒール方向に延出する重量集中体があると、ゴルファーは、ダウンスイング中に、その水平方向に延在する重量配分による遠心力の変化を感じ取ってしまうようになる。この場合、上級者のレベルであれば、意識的に、或いは無意識に手首等を操作してスイングプレーンを安定化させる技術を持ち合わせているが、そのような技術を持ち合わせていないゴルファーでは、その力の変化によって生じる不安定なスイングプレーンで打球したり、或いは、スイングプレーンを安定化する操作が充分にしきれないまま打球を行なっている。
【００１２】
また、上記したような重量体を設けていない一般的なゴルフクラブヘッドであっても、通常、ヘッドのソール部分は、他の外殻部材と比較すると、厚肉で水平方向に沿って形成されていることから、その重量配分は、図３（ａ）の重量体Ｍ１に示すように、水平方向に沿ってトウ・ヒール方向に広がった状態となっており、ダウンスイング時に、安定したスイングプレーンを妨げる要因となっている。
【００１３】
以上の説明から、インパクトに至るまでのスイングにおいて、ヘッドには、極力、図３（ａ）に示すような矢印Ｄ１方向の力、及び図４に示すような矢印Ｄ２方向の力が発生しないように構成することで、安定したスイングプレーンが維持できるものと考えられる。
【００１４】
本発明は、上記した問題に基づいてなされたものであり、アドレスからインパクトするまでのスイングプレーンの安定化が図れ、インパクト時に安定した打球が得られるゴルフクラブを提供することを目的とする。
【課題を解決するための手段】
【００１５】
上記した目的を達成するために、本発明に係るゴルフクラブは、クラウン部、ソール部、バック部、トウ部、ヒール部、及びボールを打球するフェース部を具備した中空外殻構造のヘッドと、前記ヘッドに対して所定のライ角で装着されるシャフトとを有しており、前記ヘッドの内部でシャフトの軸線よりもバック部側に、前記ライ角を規定する基準水平面に対し、ヒール側からトウ側に向けて上昇する重量集中部を設けたことを特徴とする。
【００１６】
また、本発明は、クラウン部、ソール部、バック部、トウ部、ヒール部、及びボールを打球するフェース部を具備した中空外殻構造のヘッドと、前記ヘッドに対して所定のライ角で装着されるシャフトとを有するゴルフクラブにおいて、前記ヘッドの内部でシャフトの軸線よりもバック部側に、ヒール側からトウ側に向けて方向性を持って配置される重量体を設け、前記重量体は、前記ライ角を規定する基準水平面に対し、ヒール部分よりもトウ部分が高い位置に配置されていることを特徴とする。
【００１７】
上記したような構造を備えたヘッドを有するゴルフクラブによれば、ヘッド内部において、重量が集中する部分（外殻部材と共に一体成形されるもの、或いは、重量部材である錘として外殻部材に取着されるものを含む）が、ヒール側からトウ側に向けて上昇するような方向性を持っていることから、スイング軸からシャフト方向に沿って重量が存在する位置までの距離を、重量が集中する方向に亘って可及的に略等しいか等しくなる傾向に設定することが可能となる。この結果、図３（ｂ）に示すように、ダウンスイングを行なっている最中に、ヘッド部分に加わる遠心力は、位置Ｐ１におけるトウ側Ｆ１、位置Ｐ２における中央部分Ｆ２、位置Ｐ３におけるヒール側Ｆ３を略同じような大きさ又はその傾向にすることが可能となる。従って、ヘッドの各位置において作用する遠心力が相対的に安定化することから、ダウンスイング中に、ヘッドの先端側に、図３（ａ）や図４に示したような不自然な力が作用することを防止でき、ダウンスイングからインパクトに至るまでに、安定したスイングプレーンで打球することが可能となる。そして、このように安定したスイングプレーンで打球することができることから、ヘッドのスイートスポットでボールを捕らえ易くなり、打球の方向性が安定すると共に、飛距離の向上が図れるようになる。
【発明の効果】
【００１８】
本発明によれば、アドレスからインパクトするまでのスイングプレーンの安定化が図れ、インパクト時に安定した打球が得られるゴルフクラブが得られるようになる。
【発明を実施するための最良の形態】
【００１９】
以下、本発明に係るゴルフクラブの実施形態について説明する。  
図５から図１０は、本発明に係るゴルフクラブの第１の実施形態を示す図であり、図５は、ゴルフクラブの正面図、図６は、ヘッド部分の拡大図、図７は、ヘッド部分のクラウン部を一部切り欠いて示す平面図、図８は、ヘッド部分をバック部側から見た図、図９は、図７のＡ−Ａ線に沿った断面図、そして、図１０は、図７のＢ−Ｂ線に沿った断面図である。
【００２０】
本実施形態に係るゴルフクラブ１は、シャフト５の先端に、クラウン部７ａ、ソール部７ｂ、バック部７ｃ、トウ部７ｄ、ヒール部７ｅ及びボールを打球するフェース部７ｆを備えた中空外殻構造のヘッド７を止着して構成されている。この場合、本実施形態のヘッド７は、前記フェース部７ｆに略矩形の開口７ｇが形成されており、ここに溶着、圧入、接着等によって矩形のフェース部材８が止着されて、打球面を構成している。なお、フェース部７ｆに開口を形成してフェース部材８を止着することなく、フェース部７ｆそのものが打球面を構成したものであっても良い。
【００２１】
上記したヘッド７は、フェース部材８以外は鋳造によって一体成形されており、前記開口７ｇに、打ち抜き加工等によって形成されたフェース部材８を止着することで中空外殻構造として構成されている。この場合、フェース部材８を除いた部分である外殻部材は、例えば、ステンレス、ステンレス合金、チタン、チタン合金等によって構成され、フェース部材８は、例えば、比強度の大きいチタン合金等によって構成されている。また、ヘッド７のクラウン部７ａには、シャフト止着孔９が形成されており、ここに中空部に向けて金属やＦＲＰで構成されたシャフト１０が装着されている。なお、外殻部材を構成する上記した各部（クラウン部、ソール部、バック部、トウ部、ヒール部、フェース部）については、その部分をフレーム状に構成しておき、そこに他の素材（ＦＲＰ、ＦＲＭ等）で成形された部材を止着することで構成されていても良い。
【００２２】
前記バック部７ｃ、トウ部７ｄ、ヒール部７ｅには、重量集中部（重量体）１５が連続して一体的に設けられている。この重量集中部１５は、その周辺部よりも大きな質量を集中させた部分であって、特定の一点に重量を集中させるのではなく、バック部７ｃのセンターからトウ部、及びヒール部に向けて延在させたものであり、本実施形態では、中空部の中心側に向けて連続的に突出したリブ状の部材によって構成されている。
【００２３】
このようにリブ状に構成された重量集中部１５は、上記外殻部材と共に一体形成することが可能であり、上記したシャフトの軸線ＳＸよりもバック部側に位置して、所定の高さ及び肉厚を備えることで、その周辺部よりも大きな重量を集中させている。そして、このようにリブ状に構成された重量集中部１５は、本実施形態では、図６に示すように、正面視した際、ヘッド７のライ角αを規定する基準水平面Ｐに対し、ヒール側からトウ側に向けて上昇するように形成されている。
【００２４】
上記したようなヘッド７を装着したゴルフクラブによれば、重量集中部がトウ・ヒール方向でヘッド７のライ角αを規定する基準水平面Ｐに沿って配置されるのではなく、基準水平面Ｐに対して、ヒール側からトウ側に向けて上昇するような方向性を持っていることから、ダウンスイング時において、ヘッド重量の割には、相対的にスイングプレーンを安定化することが可能となる。
【００２５】
すなわち、図３（ａ）や図４を参照して説明したように、ボールをインパクトするに至るまでのスイング中に、不自然な力が作用すると、スイングプレーンが安定しないという問題があり、この不自然な力は、上述したように、主にシャフトの先端に装着されたヘッドの各位置に作用する、異なった大きさの遠心力の作用（Ｆ１＞Ｆ２＞Ｆ３）によってもたらされる。
【００２６】
ところが、本実施形態では、上記したように、重量集中部１５がヒール側からトウ側に向けて上昇するような方向性を持っていることから、図３（ｂ）に示すように、ダウンスイングを行なっている最中に、ヘッド部分に加わる遠心力を考慮した場合（図３（ａ）と同様な位置Ｐ１，Ｐ２，Ｐ３を考慮する）、トウ側Ｆ１、中央部分Ｆ２、ヒール側Ｆ３を略同じような大きさにすることが可能となる。すなわち、重量集中部１５を、ヒール側からトウ側に向けて上昇するような方向性を持たせたことで、上記した各位置における、グリップ部分からシャフト方向に沿って重量が存在する位置までの距離を、上記した水平方向に延在する構成と比較して、略等しくすることが可能となって、トウ側Ｆ１、中央部分Ｆ２、ヒール側Ｆ３が略同じような大きさにすることが可能となる。
【００２７】
この結果、ヘッド７の各位置において作用する遠心力が安定することから、ダウンスイング中に、図３（ａ）や図４に示したような不自然な力Ｄ１，Ｄ２が作用することがなくなって、ダウンスイングした際に、安定したスイングプレーンで打球することが可能となる。そして、このように安定したスイングプレーンで打球することができるため、ヘッドのスイートスポットでボールを捕らえ易くなり、打球の方向性が安定すると共に、飛距離の向上が図れるようになる。
【００２８】
また、上記した重量集中部１５は、図７に示すように、シャフト１０の軸線ＳＸよりもバック側に設けられるので、スイング時のヘッドのフェース部側において、上下方向にブレ難くでき、スイングを安定させることができる。また、特に最も後方位置であるバック部７ｃに設けられると共に、トウ・ヒール部に向けて延設されていることから、重心Ｇの位置がバック側にシフトして特にドライバーに適した位置に設定できると共に、左右方向（トウ・ヒール方向）のバランスが向上するようになり、更には、重心まわりの慣性モーメントも大きくなって、上下方向（クラウン・ソール方向）及び左右方向（トウ・ヒール方向）の打点ブレに強いゴルフクラブが提供されるようになる。すなわち、打球時に上下方向や左右方向に打点ブレが生じても、ヘッド７の動きを抑制することが可能となり、安定した方向性が得られるゴルフクラブが得られる。
【００２９】
上記した重量集中部１５の方向性については、ゴルフクラブを、そのクラブのライ角通りに設置した際、基準水平面Ｐに対して傾斜角度θが３°〜４５°の範囲、好ましくは５°〜３０°の範囲に設定されているのが良い。すなわち、傾斜角度θが３°よりも小さいと、図３（ａ）に示した現象から、スイングプレーンが安定しない傾向が強くなり、また、傾斜角度θが４５°よりも大きくなると、トウ側においてヘッドの高い位置に重量集中部が構成され、重心が高くなり過ぎて、打球時のボールスピン量が多くなり過ぎてしまい飛距離が得られ難くなってしまう。また、４５°よりも大きいと、重量集中部１５がトウ・ヒール部に向けて充分な長さが確保できなくなってしまい、スイングプレーンを安定させ難くなってしまう。
【００３０】
また、上記した構成では、重量集中部１５をリブ状に構成して、外殻部材であるバック部７ｃ及びトウ部７ｄ、ヒール部７ｅに連続的に一体形成したことから、外殻部材成形時において一体形成することが可能となり、また、別体としての重量部材を止着するに当たって使用される溶接材、接着部材等による重量変化を考慮する必要がなくなる。もちろん、重量集中部１５は、連続することなく、上記した所定の方向性を持って点在するように形成しても良いし、トウ部及びヒール部のみに形成しても良い。ただし、ヘッドの中心での重量感がないと、打球するボールに対して、フェースのスイートスポットからずれて打球し易くなるので、トウ部及びヒール部とその間に形成するのが好ましい。或いは、重量集中部１５は、外殻部材と共に一体形成することなく、重量体となる部材を外殻部材に取着するような構成であっても良い。また、そのような重量集中部は、ヘッドの外殻部材から膨出して外観認識できるように設けられていても良い。
【００３１】
なお、上記したような方向性を持って設けられる重量集中部１５の重量（上記した実施形態ではヘッド７を構成する外殻部材の本来の肉厚から突出した分の重量）は、ヘッド全体の重量（シャフト１０を取り外した際のヘッド１の全体重量）の３．０〜７０．０％を占めるように形成するのが好ましい。すなわち、このような範囲に設定するのは、３．０％よりも少ない比率で構成すると、スイング時においてソール部分の重量による水平方向の重量配分による影響が大きくなって、上記したスイングプレーンの安定化の効果が充分に発揮できなくなるからであり、７０．０％よりも大きい比率で構成すると、ヘッド７の重心位置への影響が大きくなり過ぎて、スイートスポットが高くなり過ぎるからである。
【００３２】
この場合、図９及び図１０に示す肉厚Ｔや高さＨについては、特に限定されることはないが、その周囲の部分（外殻部材）の肉厚よりも厚くして高さも高くする等、周辺部分との対比でメリハリを大きくし、重量集中の度合いを感知できるようにしておくことが好ましい。また、重量集中部となるリブの突出方向は、図１０に示すように、水平面Ｐに沿った方向が好ましい。すなわち、このように構成することで、フェース・バック方向での遠心力により作用する力の相違をなくし、スイングプレーン方向に対してフェースをブレ難くすることができ、安定したスイングを行ない易くすることができる。また、打球時に重量集中部を振動し難くすることができ、エネルギー伝達を向上して飛距離の向上を図ることが可能となる。なお、リブの突出方向は、水平面Ｐに沿った方向が好ましいが、図１０に示すように、±１０°程度の範囲でフェース部方向を向いていれば良い。
【００３３】
また、上述したリブ状の重量集中部については、例えば、図１１に示すように、バック部のセンターからトウ・ヒール方向にかけて、板状となるように形成しても良い。このように、重量集中部を板状にしてヘッドのバック部側に形成することで、板状面の方向に質量が配置されるため、その方向にヘッドが進行し易くなって、インパクトエリアでのヘッドの直進性が良くなる。
【００３４】
さらに、上記した重量集中部１５は、全て同一肉厚及び同一高さ、或いは、図に示すように直線状に形成しても良いが、部分的に高さや肉厚を変えたり、或いは湾曲形状にしても良い。具体的には、例えば、図３（ｂ）に示した模式図において、ヘッドのセンター部分（好ましくは重心を通る領域）に作用する遠心力Ｆ２が、トウ側に作用する遠心力Ｆ１及びヒール側に作用する遠心力Ｆ３よりも高くなるような高遠心力手段を設けておくことが好ましい。
【００３５】
すなわち、このように構成することで、センター部分を中心としてトウ側及びヒール側でバランスが取れるため、スイングプレーンの安定化が図れる上に、スイートスポット付近における重量を感知させることが可能となり、これによりヘッドの順行性の向上が図れるので、より安定してスイートスポット付近で打球し易くすることができる。
【００３６】
上記したような高遠心力手段は、重量集中部の中央部分での重量を大きくしたり、或いは中央部分でのグリップ部分からの距離を長くすることで構成することが可能である。例えば、図１２に示すように、リブ状に形成された重量集中部１５のセンター領域Ｃの高さＨ１を他の部分よりも高くしたり、或いは、このセンター部分の肉厚を他の部分よりも厚くする（図示せず）ことで、重量をトウ側、及びヒール側よりも大きくすれば良い。或いは、図１３に示すように、センター領域Ｃを下方に湾曲させることで、距離ｒをトウ側、及びヒール側よりも長くしても良い（もちろん、これらの構成を任意に組み合わせても良い）。
【００３７】
図１４から図１８は、本発明の第２の実施形態を示す図であり、図１４は、シャフトに装着されるヘッドの正面図、図１５は、ヘッド部分のクラウン部を一部切り欠いて示す平面図、図１６は、図１５のＤ−Ｄ線に沿った断面図、図１７は、図１４のＣ−Ｃ線に沿った断面図、そして、図１８は、ヘッド部分をバック部側から見た図である。
【００３８】
本実施形態では、特に、フェアウェイから使用されるウッドタイプのゴルフクラブに適するよう構成されたものであり、ボールの上げ易さを考慮して、重心Ｇの位置ができるだけ低くなるように重量集中部を設置している。すなわち、本実施形態では、上記した実施形態の作用が得られることに加え、低重心化が図れるように構成されている。
【００３９】
具体的には、重量集中部２５を、トウ・ヒール方向に沿って横架されるように、外殻部材のフェース部とバック部との間に形成している。すなわち、重量集中部２５は、図に示すように板状の部材で構成されており、図１６に示すように、一端側がヒール部７ｅの比較的ソール部７ｂ側に連結され、他端側がトウ部７ｄの比較的クラウン部７ａ側に連結されることで、上記した実施形態と同様、ヒール側からトウ側に向けて、重量が集中する領域が上昇するように構成されている。
【００４０】
上記した重量集中部２５は、フェース部側に設けられているが、シャフト１０の軸線ＳＸよりもバック部側に配置されており、このような位置に配置することにより、上記した実施形態と同様、スイング時及び打球時に、フェース部側において上下方向にブレが生じることを抑制している。この場合、図１５に示すように、重量集中部２５の配設位置をフェース部側に移行させる程、重心Ｇが前方にシフトして、ヘッドの低重心化を図る（スイートスポットを低くする）ことが可能であるが、前方に移行させる程、スイング時及び打球時に、フェース部側において上下方向にブレが生じる傾向が強くなってしまう。このため、図１５に示すように、重量集中部２５は、前記フェース部とバック部の幅Ｗの１／２よりもバック部側に設けておくことが好ましい。
【００４１】
上記したような位置に重量集中部を設置しておくことにより、特に、ボールがティーアップされていない状態で打球が行われるフェアウェイウッドに適するように低重心化が図れると共に、更にはフェース部側で上下方向のブレが生じることを効果的に抑制したゴルフクラブとすることが可能となる。
【００４２】
なお、本実施形態においても、上記した実施形態と同様、重量集中部２５の基準水平面Ｐに対する傾斜角度θは３°〜４５°の範囲、好ましくは５°〜３０°の範囲に設定されているのが良い。また、重量集中部２５についても、上記した実施形態と同様、重量集中の度合いを感知し易いように外殻部材の肉厚よりも厚くしたり、高遠心力手段を施しても良い。
【００４３】
また、重量集中部２５は、ヒール部及びトウ部を横架するようにして、両端をヒール部７ｅ及びトウ部７ｄと共に一体形成したが、例えば、ソール部７ｂに、クラウン部７ａに向けて略垂直な壁部を形成し、この壁部の上端部に重量集中部を設置するような構成であっても良い。
【００４４】
以上、本発明の実施形態について説明したが、本発明は、中空外殻構造のヘッド７のシャフト５の軸線ＳＸよりも後方側に、基準水平面Ｐに対してヒール側からトウ側に向けて上昇するような重量集中部が設けられていれば良く、ヘッドの全体的な形状、材質、形成方法等については、種々変形することが可能である。
【００４５】
この場合、重量集中部は、ヘッドを構成する外殻部材と共に、鋳造等によって一体形成したもの（重量が集中する領域は厚肉状になったり、リブ状に構成される）であっても良いし、周辺の外殻部材に対して重量が集中するような別体の重量体（錘のような重量体）を、溶接、接着等によって取着するような構成であっても良い。また、重量集中部は、上記したような方向性を持ってヘッドに設けられたものであれば良く、例えば、多数の重量体を隣接させて方向性を持って配置（方向性をもって点在させる）することで構成しても良い。この場合、隣接する重量体は、ヘッドの外殻部材の裏面側に溶着や接着によって止着しても良いし、外殻部材と共に一体成形によって構成したものであっても良い。
【００４６】
また、図１３に示したように、重量集中部１５の方向性を湾曲させる場合、重量集中部は、全体として見た場合、ヒール側の形成位置（取着位置）よりもトウ側形成位置（取着位置）が高い位置にあれば良い。
【００４７】
さらに、本発明に係るゴルフクラブでは、ヘッドの内部に、上記したような基準水平面Ｐに対してヒール側からトウ側に向けて上昇するような重量集中部以外にも、更に別の重量集中部を配置したものであっても良い。例えば、ヘッドのセンター領域（好ましくは重心を通る領域）において、クラウン部からバック部を介してソール部に至るような重量集中部を別途、配置しておくことが好ましい。このような構成によれば、ヘッドの中空部の中央領域の上下方向に沿って感知可能な重量体が並んで、ダウンスイング時にスイングプレーンに沿うような構造になるため、順行性の向上が図れ、上記した効果と相俟ってさらにスイングを安定化することが可能となる。また、ヘッドの内部のいずれかの位置に、重心位置を調整するための重量体を配置しても良い。
【００４８】
また、上記した構成において、重量集中部以外の外殻部材の肉厚については、それよりも薄肉厚で、均一となるように構成することが好ましい。すなわち、外殻部材の肉厚を均一化することで、肉厚変化に伴う重量変化部分が点在しなくなるため、スイング時にブレ等を生じ難くすることが可能となる。
【図面の簡単な説明】
【００４９】
【図１】ゴルファーのスイング軌道を説明する模式図。
【図２】図１のスイング軌道を正面から見た図。
【図３】ゴルフクラブをダウンスイングした際にヘッド部分に作用する遠心力を概略的に示す正面図であり、（ａ）は、従来のゴルフクラブを示す図、（ｂ）は、本発明に係るゴルフクラブを示す図。
【図４】インパクト時におけるヘッドの動きを示す平面図。
【図５】本発明に係るゴルフクラブの第１の実施形態を示す図であり、ゴルフクラブの正面図。
【図６】ヘッド部分の拡大図。
【図７】ヘッド部分のクラウン部を一部切り欠いて示す平面図。
【図８】ヘッド部分をバック部側から見た図。
【図９】図７のＡ−Ａ線に沿った断面図。
【図１０】図７のＢ−Ｂ線に沿った断面図。
【図１１】第１の変形例を示す図であり、ヘッド部分のクラウン部を一部切り欠いて示す平面図。
【図１２】第２の変形例を示す図であり、ヘッド部分のクラウン部を一部切り欠いて示す平面図。
【図１３】第３の変形例を示す図であり、ヘッド部分をバック部側から見た図。
【図１４】本発明の第２の実施形態を示す図であり、シャフトに装着されるヘッドの正面図。
【図１５】ヘッド部分のクラウン部を一部切り欠いて示す平面図。
【図１６】図１５のＤ−Ｄ線に沿った断面図。
【図１７】図１４のＣ−Ｃ線に沿った断面図。
【図１８】ヘッド部分をバック部側から見た図。
【符号の説明】
【００５０】
１  ゴルフクラブ
５  シャフト
７  ヘッド
７ａ  クラウン部
７ｂ  ソール部
７ｃ  バック部
７ｄ  トウ部
７ｅ  ヒール部
１５，２５  重量集中部（重量体）
Ｐ  基準水平面
ＳＸ  シャフトの軸線
【図１】
2006102247.tif 000003
【図２】
2006102247.tif 000004
【図３】
2006102247.tif 000005
【図４】
2006102247.tif 000006
【図５】
2006102247.tif 000007
【図６】
2006102247.tif 000008
【図７】
2006102247.tif 000009
【図８】
2006102247.tif 000010
【図９】
2006102247.tif 000011
【図１０】
2006102247.tif 000012
【図１１】
2006102247.tif 000013
【図１２】
2006102247.tif 000014
【図１３】
2006102247.tif 000015
【図１４】
2006102247.tif 000016
【図１５】
2006102247.tif 000017
【図１６】
2006102247.tif 000018
【図１７】
2006102247.tif 000019
【図１８】
2006102247.tif 000020